(57)【要約】【課題】股間部において吸収性コアのフィット性を向上させたパンツ型吸収性物品を提供する。【解決手段】上下方向に沿って配置された吸収性コア（１１）を備え、上下方向の下端部にて前後に折り曲げられた吸収性本体（１０）と、着用時に着用者の股下に位置する股下部において、吸収性コア（１１）よりも非肌側に積層され、上下方向に沿って伸縮する股下伸縮領域（２３ｓ）を有する股下部材（２３）と、を有するパンツ型吸収性物品（１）であって、吸収性コア（１１）の股下部には、周囲の領域よりも平均坪量が低くなっている股下低坪量領域（３６）が設けられており、股下低坪量領域（３６）は、左右方向に沿った横長部（３６ｗ）を有し、横長部（３６ｗ）のうち少なくとも一部が、股下伸縮領域（２３ｓ）と重複している。【選択図】図５
2019118554.tif 000002
【特許請求の範囲】
【請求項１】
互いに交差する上下方向と左右方向と前後方向とを有し、
前記上下方向に沿って配置された吸収性コアを備え、前記上下方向の下端部にて前後に折り曲げられた吸収性本体と、
着用時に着用者の股下に位置する股下部において、前記吸収性コアよりも非肌側に積層され、前記上下方向に沿って伸縮する股下伸縮領域を有する股下部材と、
を有するパンツ型吸収性物品であって、
前記吸収性コアの前記股下部には、周囲の領域よりも平均坪量が低くなっている股下低坪量領域が設けられており、
前記股下低坪量領域は、前記左右方向に沿った横長部を有し、
前記横長部のうち少なくとも一部が、前記股下伸縮領域と重複している、ことを特徴とするパンツ型吸収性物品。
【請求項２】
請求項１に記載のパンツ型吸収性物品であって、
前記股下低坪量領域は、前記上下方向に沿った縦長部を前記左右方向に間隔を空けて複数有し、
前記左右方向に隣り合う各々の前記縦長部の間には、前記股下低坪量領域よりも平均坪量が高い股下高坪量領域が前記上下方向の沿って設けられている、ことを特徴とするパンツ型吸収性物品。
【請求項３】
請求項１または２に記載のパンツ型吸収性物品であって、
前記吸収性コアは、前記前後方向の後側に折り曲げられた部分である後側部を有し、
前記後側部において、前記股下低坪量領域よりも前記上下方向の上側には、前記股下低坪量領域よりも平均坪量が高い臀部高坪量領域が設けられている、ことを特徴とするパンツ型吸収性物品。
【請求項４】
請求項３に記載のパンツ型吸収性物品であって、
前記股下低坪量領域と、前記臀部高坪量領域との境界部は、前記左右方向の中央から両外側に向けて斜め下方向に傾斜している、ことを特徴とするパンツ型吸収性物品。
【請求項５】
請求項３または４に記載のパンツ型吸収性物品であって、
前記後側部において、前記股下低坪量領域は、前記股下伸縮領域よりも上側に位置している、ことを特徴とするパンツ型吸収性物品。
【請求項６】
請求項３〜５のいずれか１項に記載のパンツ型吸収性物品であって、
前記後側部において、前記股下低坪量領域よりも上側には、周囲の領域よりも平均坪量が低くなっている臀部低坪量領域が設けられている、ことを特徴とするパンツ型吸収性物品。
【請求項７】
請求項６に記載のパンツ型吸収性物品であって、
前記股下低坪量領域は、第１股下低坪量領域と、前記上下方向において前記第１股下低坪量領域よりも上側に位置する第２股下低坪量領域と、を有し、
前記第２股下低坪量領域は、前記上下方向に沿った縦長部を前記左右方向に間隔を空けて複数有し、
前記第２股下低坪量領域のうち、前記左右方向において、最も一方側に位置する前記縦長部と、最も他方側に位置する前記縦長部との間の長さは、
前記左右方向における前記臀部低坪量領域の長さよりも短い、ことを特徴とするパンツ型吸収性物品。
【請求項８】
請求項７に記載のパンツ型吸収性物品であって、
前記第１股下低坪量領域は、前記上下方向に沿った縦長部を前記左右方向に間隔を空けて複数有し、
前記第１股下低坪量領域のうち、前記左右方向において、最も一方側に位置する前記縦長部と、最も他方側に位置する前記縦長部との間の長さは、
前記第２股下低坪量領域のうち、前記左右方向において、最も一方側に位置する前記縦長部と、最も他方側に位置する前記縦長部との間の長さよりも短い、ことを特徴とするパンツ型吸収性物品。
【請求項９】
請求項３〜８のいずれか１項に記載のパンツ型吸収性物品であって、
前記後側部において、前記臀部高坪量領域の前記上下方向の下側、かつ、前記左右方向の中央には、前記上下方向に沿って前記吸収性コアを貫通する、中央低坪量領域が設けられている、ことを特徴とするパンツ型吸収性物品。
【請求項１０】
請求項１〜９のいずれか１項に記載のパンツ型吸収性物品であって、
前記吸収性コアは、前記前後方向の前側に折り曲げられた部分である前側部を有し、
前記前側部において、前記股下低坪量領域よりも前記上下方向の上側には、前記上下方向の上側から下側、かつ、前記左右方向の外側から中心側に向かって傾斜し、周囲の領域よりも坪量が低くなっている一対の傾斜低坪量領域が設けられている、ことを特徴とするパンツ型吸収性物品。
【請求項１１】
請求項１〜１０のいずれか１項に記載のパンツ型吸収性物品であって、
前記左右方向における前記股下伸縮領域の長さは、
前記左右方向における前記吸収性コアの長さの最小値よりも短く、
前記吸収性コアの前記左右方向の両端部には、前記股下低坪量領域よりも平均坪量が高くなっている股下サイド高坪量領域が設けられている、ことを特徴とするパンツ型吸収性物品。
【請求項１２】
請求項１〜１１のいずれか１項に記載のパンツ型吸収性物品であって、
前記前後方向の前側に折り曲げられた前記吸収性本体の上端部に接合された前側ベルト部と、
前記前後方向の後側に折り曲げられた前記吸収性本体の上端部に接合された後側ベルト部と、を有し、
前記前側ベルト部と前記後側ベルト部とは、前記左右方向の両側部において互いに接合されている、ことを特徴とするパンツ型吸収性物品。
【請求項１３】
請求項１２に記載のパンツ型吸収性物品であって、
前記前側ベルト部は、前記左右方向に伸縮する前側伸縮領域を有し、
前記後側ベルト部は、前記左右方向に伸縮する後側伸縮領域を有し、
前記股下伸縮領域の少なくとも一部は、前記上下方向において、前記前側伸縮領域及び前記後側伸縮領域と重複している、ことを特徴とするパンツ型吸収性物品。
【発明の詳細な説明】
【技術分野】
【０００１】
本発明は、パンツ型吸収性物品に関する。
【背景技術】
【０００２】
パンツ型吸収性物品は尿等の排泄液を吸収する吸収性コアを有している。そして、吸収性コアの一部の領域にスリット等を設けて剛性を低くすることにより、パンツ型吸収性物品の着用時に、当該低剛性部において吸収性コアが折れ曲がりやすくなり、着用者の身体に沿って立体的に変形しやすくする技術が知られている。例えば、特許文献１には、吸収性コアが、坪量が相対的に高い高坪量部と、坪量が相対的に低い低坪量部とからなるブロック構造を有しており、該ブロック構造によって柔軟性を高めることによって、吸収性コアを着用者の身体に沿いやすくした吸収性物品が開示されている。
【先行技術文献】
【特許文献】
【０００３】
【特許文献１】特開２０１３−２５５５５８号公報
【発明の概要】
【発明が解決しようとする課題】
【０００４】
一般的な吸収性物品（おむつ等）の股間部には、吸収性本体の左右方向の両端部にレッグギャザーが設けられており、当該レッグギャザーの伸縮性によって、着用者の股間部において、脚繰りに吸収性本体の左右方向の両端部をフィットさせている。一方、特許文献１のように、折れ曲がり変形を生じやすい吸収性コアでは、左右方向の中央部が非肌側に持ち上がるように変形することにより、着用者の肌との間に隙間が形成されやすくなる場合がある。つまり、吸収性コアの左右方向の両側部は身体に密着しやすいのに対して、中央部は身体に密着し難くなるため、股下部におけるフィット性が悪化したり、排泄物を吸収し難くなったりするおそれがある。また、特許文献１では吸収性コアの変形がランダムであり、吸収性コアの変形が着用者の身体の動きに追従しない場合があるため、股間部において十分なフィット性が得られないおそれがある。
【０００５】
本発明は、上記のような問題に鑑みてなされたものであって、その目的とするところは、股間部において吸収性コアのフィット性を向上させたパンツ型吸収性物品を提供することにある。
【課題を解決するための手段】
【０００６】
上記目的を達成するための主たる発明は、互いに交差する上下方向と左右方向と前後方向とを有し、前記上下方向に沿って配置された吸収性コアを備え、前記上下方向の下端部にて前後に折り曲げられた吸収性本体と、着用時に着用者の股下に位置する股下部において、前記吸収性コアよりも非肌側に積層され、前記上下方向に沿って伸縮する股下伸縮領域を有する股下部材と、を有するパンツ型吸収性物品であって、前記吸収性コアの前記股下部には、周囲の領域よりも平均坪量が低くなっている股下低坪量領域が設けられており、  前記股下低坪量領域は、前記左右方向に沿った横長部を有し、前記横長部のうち少なくとも一部が、前記股下伸縮領域と重複している、ことを特徴とするパンツ型吸収性物品である。
本発明の他の特徴については、本明細書及び添付図面の記載により明らかにする。
【発明の効果】
【０００７】
本発明によれば、股間部において吸収性コアのフィット性を向上させたパンツ型吸収性物品を提供することができる。
【図面の簡単な説明】
【０００８】
【図１】パンツ型使い捨ておむつ１の斜視図である。
【図２】展開且つ伸長状態のおむつ１を非肌側から見た概略平面図である。
【図３】図２のＩ−Ｉ線での概略断面図である。
【図４】図４Ａは、展開且つ伸長状態の吸収性本体１０を肌側から見た概略平面図である。図４Ｂは、図４ＡのＡ−Ａ断面図である。
【図５】展開且つ伸長状態のおむつ１の概略平面図であり、前側ベルト部２１の前側伸縮領域２１ｓ、及び、股下部材２３の股下伸縮領域２３ｓと、吸収性コア１１との位置関係を説明する図である。
【図６】吸収性コア１１を肌側から見た平面図である。
【図７】おむつ１着用時における吸収性コア１１の変形について説明する概略斜視図である。
【図８】比較例として、股下伸縮領域２３ｓが設けられていない場合における、吸収性コア１１の股下部位１１Ｂにおける変形状態を表す概略断面図である。
【図９】股下伸縮領域２３ｓが設けられている場合における、吸収性コア１１の股下部位１１Ｂにおける変形状態を表す概略断面図である。
【発明を実施するための形態】
【０００９】
本明細書及び添付図面の記載により、少なくとも以下の事項が明らかとなる。
互いに交差する上下方向と左右方向と前後方向とを有し、前記上下方向に沿って配置された吸収性コアを備え、前記上下方向の下端部にて前後に折り曲げられた吸収性本体と、着用時に着用者の股下に位置する股下部において、前記吸収性コアよりも非肌側に積層され、前記上下方向に沿って伸縮する股下伸縮領域を有する股下部材と、を有するパンツ型吸収性物品であって、前記吸収性コアの前記股下部には、周囲の領域よりも平均坪量が低くなっている股下低坪量領域が設けられており、前記股下低坪量領域は、前記左右方向に沿った横長部を有し、前記横長部のうち少なくとも一部が、前記股下伸縮領域と重複している、ことを特徴とするパンツ型吸収性物品。
【００１０】
このようなパンツ型吸収性物品によれば、股下部において、吸収性コアの非肌側に設けられた股下伸縮領域が上下方向に沿って収縮することにより、吸収性コアが着用者の肌側に押し付けられる。その際、股下低坪量領域の横長部が吸収性コアの左右方向に沿った折れ曲がり変形の起点となり、吸収性コアは、着用者の股下形状にあわせてカーブしながら着用者の股間部に密着する。これにより、吸収性コアの股間部においてフィット性を向上させることができる。
【００１１】
かかるパンツ型吸収性物品であって、前記股下低坪量領域は、前記上下方向に沿った縦長部を前記左右方向に間隔を空けて複数有し、前記左右方向に隣り合う各々の前記縦長部の間には、前記股下低坪量領域よりも平均坪量が高い股下高坪量領域が前記上下方向の沿って設けられている、ことが望ましい。
【００１２】
このようなパンツ型吸収性物品によれば、折れ曲がり起点となりやすい縦長部の左右方向の両側に、坪量が高く剛性が高い股下高坪量領域が設けられていることにより、左右方向において縦長部が関節のように機能する。したがって、該縦長部において吸収性コアが折れ曲がり変形を生じやすくなり、着用者の身体の曲面にあわせてフィットしやすくなる。
【００１３】
かかるパンツ型吸収性物品であって、前記吸収性コアは、前記前後方向の後側に折り曲げられた部分である後側部を有し、前記後側部において、前記股下低坪量領域よりも前記上下方向の上側には、前記股下低坪量領域よりも平均坪量が高い臀部高坪量領域が設けられている、ことが望ましい。
【００１４】
このようなパンツ型吸収性物品によれば、剛性が高い臀部高坪量領域を設けることによって、吸収性コアを変形させる力が股下部側から臀部側へ伝達されるのが抑制される。これにより、股下部の変形の影響を受けることなく、臀部領域において吸収性コアを適切に変形させることができるようになり、臀部におけるフィット性が向上する。
【００１５】
かかるパンツ型吸収性物品であって、前記股下低坪量領域と、前記臀部高坪量領域との境界部は、前記左右方向の中央から両外側に向けて斜め下方向に傾斜している、ことが望ましい。
【００１６】
このようなパンツ型吸収性物品によれば、吸収性コアのうち臀部高坪量領域よりも上側(後側)の領域が、境界部の傾斜に沿って斜めに立ち上がり、着用者の臀部を包み込むように変形する。これにより、着用者の臀部における吸収性コアのフィット性をより向上させることができる。
【００１７】
かかるパンツ型吸収性物品であって、前記後側部において、前記股下低坪量領域は、前記股下伸縮領域よりも上側に位置している、ことが望ましい。
【００１８】
このようなパンツ型吸収性物品によれば、股下伸縮領域による伸縮力が、臀部高坪量領域によって遮断されることによって、臀部高坪量領域よりも上側の領域には作用し難くなる。これにより、臀部側における吸収性コアの自然な変形が阻害され難くなり、臀部における吸収性コアのフィット性をより向上させることができる。
【００１９】
かかるパンツ型吸収性物品であって、前記後側部において、前記股下低坪量領域よりも上側には、周囲の領域よりも平均坪量が低くなっている臀部低坪量領域が設けられている、ことが望ましい。
【００２０】
このようなパンツ型吸収性物品によれば、臀部高坪量領域を挟んで上側の領域（臀部側）と下側（股下側）の領域にそれぞれ低坪量領域が設けられていることにより、吸収性コアが臀部側と股下側とで異なる変形を行いやすくなる。したがって、それぞれの領域に応じて吸収性コアが適切にフィットしやすくなる。
【００２１】
かかるパンツ型吸収性物品であって、前記股下低坪量領域は、第１股下低坪量領域と、前記上下方向において前記第１股下低坪量領域よりも上側に位置する第２股下低坪量領域と、を有し、前記第２股下低坪量領域は、前記上下方向に沿った縦長部を前記左右方向に間隔を空けて複数有し、前記第２股下低坪量領域のうち、前記左右方向において、最も一方側に位置する前記縦長部と、最も他方側に位置する前記縦長部との間の長さは、前記左右方向における前記臀部低坪量領域の長さよりも短い、ことが望ましい。
【００２２】
このようなパンツ型吸収性物品によれば、吸収性コアのうち股下部よりも臀部側領域において、折れ曲がり起点となる低坪量領域をなるべく広い範囲に配置することにより、臀部の丸みに沿って吸収性コアの広い範囲を変形させやすくすることができる。
【００２３】
かかるパンツ型吸収性物品であって、前記第１股下低坪量領域は、前記上下方向に沿った縦長部を前記左右方向に間隔を空けて複数有し、前記第１股下低坪量領域のうち、前記左右方向において、最も一方側に位置する前記縦長部と、最も他方側に位置する前記縦長部との間の長さは、前記第２股下低坪量領域のうち、前記左右方向において、最も一方側に位置する前記縦長部と、最も他方側に位置する前記縦長部との間の長さよりも短い、ことが望ましい。
【００２４】
このようなパンツ型吸収性物品によれば、吸収性コアのうち、第１低坪量領域よりも臀部に近い第２低坪量領域において、折れ曲がり起点となる低坪量領域をなるべく広い範囲に配置することにより、臀部の丸みに沿って吸収性コアの広い範囲を変形させやすくすることができる。
【００２５】
かかるパンツ型吸収性物品であって、前記後側部において、前記臀部高坪量領域の前記上下方向の下側、かつ、前記左右方向の中央には、前記上下方向に沿って前記吸収性コアを貫通する、中央低坪量領域が設けられている、ことが望ましい。
【００２６】
このようなパンツ型吸収性物品によれば、吸収性コアが着用者の股間部で両脚に挟み込まれた際に、剛性が最も低い中央低坪量領域を基点として吸収性コアが上下方向に沿って肌側に凸形状となるように折れ曲がり変形しやすくなる。これにより、吸収性コアが着用者の排泄口や臀部の割れ目に沿ってフィットしやすくなる。
【００２７】
かかるパンツ型吸収性物品であって、前記吸収性コアは、前記前後方向の前側に折り曲げられた部分である前側部を有し、前記前側部において、前記股下低坪量領域よりも前記上下方向の上側には、前記上下方向の上側から下側、かつ、前記左右方向の外側から中心側に向かって傾斜し、周囲の領域よりも坪量が低くなっている一対の傾斜低坪量領域が設けられている、ことが望ましい。
【００２８】
このようなパンツ型吸収性物品によれば、傾斜低坪量領域が着用者の恥骨周辺から股間にかけて斜めに当接するため、吸収性コアが着用者の脚の付け根に沿って折れ曲がる際の起点となる。これにより、着用者の脚の動き等に追従して吸収性コアが変形しやすくなる。
【００２９】
かかるパンツ型吸収性物品であって、前記左右方向における前記股下伸縮領域の長さは、前記左右方向における前記吸収性コアの長さの最小値よりも短く、前記吸収性コアの前記左右方向の両端部には、前記股下低坪量領域よりも平均坪量が高くなっている股下サイド高坪量領域が設けられている、ことが望ましい。
【００３０】
このようなパンツ型吸収性物品によれば、吸収性コアの左右方向の両端部に、周囲よりも坪量が高く剛性が高い領域が設けられていることにより、吸収性コアの中央部が凸状に折れ曲がる際に、凸部が左右方向の両側から支えられ、凸部の形状が崩れ難くなる。
【００３１】
かかるパンツ型吸収性物品であって、前記前後方向の前側に折り曲げられた前記吸収性本体の上端部に接合された前側ベルト部と、前記前後方向の後側に折り曲げられた前記吸収性本体の上端部に接合された後側ベルト部と、を有し、前記前側ベルト部と前記後側ベルト部とは、前記左右方向の両側部において互いに接合されている、ことが望ましい。
【００３２】
このようなパンツ型吸収性物品によれば、型吸収性物品を着用する際に、前側ベルト部と後側ベルト部とによって着用者の腰回りをしっかりとホールドしたうえで、吸収性本体を上側に引き上げることができる。したがって、吸収性コアが着用者の股間にしっかりと密着しやすくなる。
【００３３】
かかるパンツ型吸収性物品であって、前記前側ベルト部は、前記左右方向に伸縮する前側伸縮領域を有し、前記後側ベルト部は、前記左右方向に伸縮する後側伸縮領域を有し、前記股下伸縮領域の少なくとも一部は、前記上下方向において、前記前側伸縮領域及び前記後側伸縮領域と重複している、ことが望ましい。
【００３４】
このようなパンツ型吸収性物品によれば、股下伸縮領域の伸縮力が、前側伸縮領域及び後側伸縮領域の伸縮力とそれぞれ連動し、股下伸縮領域がより収縮しやすくなる。したがって、吸収性コアが着用者の股下側に引き上げられやすくなり、フィット性をより向上させることができる。
【００３５】
＝＝＝実施形態＝＝＝
以下、本発明の「パンツ型吸収性物品」として、大人用のパンツ型使い捨ておむつ１（以下、「おむつ１」とも呼ぶ）を例に挙げて実施形態を説明する。但し、本発明のパンツ型吸収性物品は、例えば、子供用の使い捨ておむつや、生理用品（ショーツ型ナプキン）等としても利用可能である。
＜＜おむつ１の全体構成＞＞
図１は、おむつ１の概略斜視図である。図２は、展開且つ伸長状態のおむつ１を非肌側から見た概略平面図である。図３は、図２のＩ−Ｉ線での概略断面図である。なお、おむつ１の「伸長状態」とは、おむつ１を皺なく伸長させた状態であり、おむつ１を構成する各部材（例えば後述する外装部材２０等）の寸法がその部材単体の寸法と一致又はそれに近い長さになるまで伸長した状態である。
【００３６】
おむつ１は、互いに交差する上下方向、左右方向、及び、前後方向を有するとともに、図３に示すように、各部材が積層された厚さ方向を有する。上下方向において、着用者の胴回り側となる側を上側とし、着用者の股下側となる側を下側とする。前後方向において、着用者の腹側となる側を前側とし、着用者の背側となる側を後側とする。厚さ方向において、着用者の身体に接する側を肌側とし、その反対側を非肌側とする。また、図２の展開状態において、おむつ１は、互いに交差する長手方向及び幅方向を有している。長手方向は、上下方向に沿った方向であり、幅方向は、左右方向と同じ方向である。
【００３７】
おむつ１は、平面視長方形状である吸収性本体１０と、吸収性本体１０の非肌側に位置する外装部材２０とを有している。外装部材２０は、図１の前後方向における前側に位置する腹側外装部材２１（前側ベルト部２１）と、前後方向における後側に位置する背側外装部材２２（後側ベルト部２２）と、それらを繋ぐ股下外装部材２３（股下部材２３）とを有している。厚さ方向に隣接する上記部材は接着剤等で接合されている。
【００３８】
また、吸収性本体１０の長手方向の一端側に、前側ベルト部２１が位置し、吸収性本体１０の長手方向の他端側に、後側ベルト部２２が位置している。吸収性本体１０の長手方向において、前側ベルト部２１が位置する側を前側とし、後側ベルト部２２が位置する側を後側とする。つまり、前側ベルト部２１は吸収性本体１０の前側上端部に位置し、後側ベルト部２２は吸収性本体１０の後側上端部に位置している。また、股下部材２３は前側ベルト部２１及び後側ベルト部２２よりも肌側に位置している。
【００３９】
なお、本実施形態のおむつ１では外装部材２０が３部材から構成されているが、これに限らない。例えば、前側ベルト部２１、後側ベルト部２２、及び、股下部材２３が１部材であっても良い。また、股下部材２３を有さない構成や、外装部材２０よりも非肌側に外装部材２０とは異なる部材がさらに積層されている構成であっても良い。
【００４０】
図２に示す展開状態のおむつ１は、吸収性本体１０が長手方向の所定位置ＣＬで前後に２つ折りされ、前側ベルト部２１の左右方向の両側部と後側ベルト部２２の左右方向の両側部とが溶着等で接合されることにより、図１に示すパンツ型となる。つまり、吸収性本体１０の長手方向がおむつ１の上下方向に沿い、前側ベルト部２１と後側ベルト部２２とが環状につながって、胴回り開口１ａ及び一対の脚回り開口１ｂが形成される。以下、前側ベルト部２１と後側ベルト部２２とが接合された領域を端部接合領域２４という。
【００４１】
また、本明細書中では、所定位置ＣＬにて折り曲げられた吸収性本体１０（吸収性コア１１）のうち、前側に折り曲げられた部分を「前側部１０Ｆ」、後側に折り曲げられた部分を「後側部１０Ｒ」とする。すなわち、図２の長手方向において、吸収性本体１０（吸収性コア１１）の所定位置ＣＬよりも前側の領域を「前側部１０Ｆ」と呼び、所定位置ＣＬよりも後側の領域を「後側部１０Ｒ」と呼ぶ場合がある。
【００４２】
吸収性本体１０は、図３に示すように、吸収性コア１１と、吸収性コア１１の肌側に位置するトップシート１２と、吸収性コア１１の非肌側に位置するバックシート１３とを有している。図４Ａは、展開且つ伸長状態の吸収性本体１０を肌側から見た概略平面図である。図４Ｂは、図４ＡのＡ−Ａ断面図である。なお、図４Ｂでは、説明の簡略化のため、吸収性コア１１に設けられる低坪量領域（後述）については非表示としている
【００４３】
吸収性コア１１は、尿等の排泄液を吸収して保持する部材であり、例えば高吸収性ポリマー（ＳＡＰ）が混入したパルプ繊維等の液体吸収性繊維により形成される。本実施形態の吸収性コア１１は、長手方向の前側端と後側端との間に、左右方向における幅が狭くなったくびれ部１１ｃを有しており、図４Ａに示されるような平面視略砂時計形状を有している。また、吸収性コア１１には周囲よりも坪量が低くなった領域である各種の低坪量領域が形成されている。低坪量領域の詳細については後で説明する。また、吸収性コア１１は、ティッシュペーパーや不織布等の液透過性のシートによって、外周面が覆われていても良い。
【００４４】
トップシート１２は、液透過性のシートであり、例えば親水性のエアスルー不織布やスパンボンド不織布等が用いられる。バックシート１３は、液不透過性シート１３ａ、及び、その非肌側に配された疎水性シート１３ｂの二層構造である。液不透過性シート１３ａとしては、例えば樹脂フィルム等が用いられ、疎水性シート１３ｂとしては、例えば柔軟性を有する疎水性の不織布等が用いられる。なお、バックシート１３は液不透過性シート１３ａの一層構造であっても良い。
【００４５】
バックシート１３の左右方向の両側にはサイドシート１４が設けられている。このサイドシート１４は、吸収性コア１１の左右方向の両端１１ｅｓ，１１ｅｓよりも左右方向の外側に延出し、吸収性本体１０の左右方向の両端１０ｅｓ，１０ｅｓを折り返し位置として左右方向の内側かつ厚さ方向の肌側に折り返されることによって、１対の防漏壁部４０形成している。防漏壁部４０には糸ゴム等の防漏壁弾性部材４１，４２が、吸収性本体１０の長手方向（上下方向）に沿って伸長された状態で固定されている。この防漏壁弾性部材４１，４２が長手方向に収縮することにより、吸収性本体１０の左右方向の両端部において一対の防漏壁部４０が肌側に立ち上がり、おむつ１の防漏壁（レッグサイドギャザー）として機能する。なお、サイドシート１４を設けず、バックシート１３（液透過性シート１３ｂ）を吸収性コア１１の左右方向の外側まで延出させることによって、防漏壁部４０が形成されるようにしても良い。
【００４６】
前側ベルト部２１、及び、後側ベルト部２２は、それぞれ図２に示すように、上下方向において端部接合領域２４が位置する胴回り領域２１１，２２１と、胴回り領域２１１，２２１よりも下側の股下側領域２１２，２２２とを有している。胴回り領域２１１，２２１は平面視長方形状を成している。股下側領域２１２，２２２は略台形形状を成し、その外縁部は、上下方向の下側に向かって左右方向の内側に傾斜する傾斜部２１２ｓ，２２２ｓを有している。つまり、股下側領域２１２，２２２は下側に向かって横幅が狭くなっている。また、本実施形態では、前側ベルト部２１の股下側領域２１２に比べて、後側ベルト部２２の股下側領域２２２の方が大きく、着用者の臀部を広く被覆可能となっている。
【００４７】
前側ベルト部２１、及び、後側ベルト部２２は、それぞれ図３に示すように、肌側に位置する肌側シート２１３，２２３と、非肌側に位置する非肌側シート２１４，２２４と、それらの間に位置し、少なくともおむつ１の左右方向に伸縮性を備える伸縮性不織布２１５，２２５とを有している。
【００４８】
肌側シート２１３，２２３、及び、非肌側シート２１４，２２４は、柔軟なシートであることが好ましく、例えばスパンボンド不織布やＳＭＳ不織布等が用いられる。
【００４９】
伸縮性不織布２１５，２２５は、例えば、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有しており、ギア延伸等の適宜な延伸処理が施された不織布である。この延伸処理により、伸縮性不織布２１５，２２５は、所定の方向に伸縮性を有しているものとする。なお、延伸処理は、互いに直交する方向に延伸処理を行うものであっても良いし、所定方向にのみ延伸処理を行うものであっても良い。所定方向にのみ延伸処理を行った場合、所定方向における伸縮性が発現されるが、すべての繊維の配向が所定方向に沿っているとは限らないため、所定方向と直交する方向にも伸縮性が発現される。
【００５０】
肌側シート２１３，２２３、非肌側シート２１４，２２４、及び、伸縮性不織布２１５，２２５は、点在する複数の溶着部２５ａ，２５ｂ（例えば超音波溶着が施された領域）により接合されているため、例えば固化する接着剤により接合される場合に比べて、肌触りが柔らかくなっている。また、溶着部２５ａ，２５ｂの間において、伸縮性不織布２１５，２２５が収縮することで、肌側シート２１３，２２３、及び、非肌側シート２１４，２２４が厚さ方向の外側に湾曲して突出する。つまり、肌側シート２１３，２２３、及び、非肌側シート２１４，２２４が溶着部２５ａ，２５ｂの間で膨らむため、肌触りがより柔らかくなり、視覚的にも柔らかい印象を使用者に付与できる。
【００５１】
このような構成により、前側ベルト部２１、及び、後側ベルト部２２は、全体としておむつ１の左右方向（及び上下方向）に伸縮性を有している。前側ベルト部２１において左右方向の伸縮性を発現している領域を前側伸縮領域２１ｓとし、後側ベルト部２２において左右方向の伸縮性を発現している領域を後側伸縮領域２２ｓとする（図５の網掛け部参照）。また、溶着部２５ａ，２５ｂは、図２に示すように比較的に狭い間隔で点在している。そのため、本実施形態のおむつ１では、多方向に延び、且つ、きめ細やかな膨らみ（皺）が発生し、おむつ特有の一方向の皺（縦皺等）の発生を防止できるため、おむつ１の美観性が良い。
【００５２】
なお、伸縮性不織布２１５，２２５の代わりに伸縮性フィルムを用いても良い。但し、伸縮性フィルムの厚みはほぼ均一であるため、溶着部２５ａ，２５ｂの間の肌側シート２１３，２２３及び非肌側シート２１４，２２４の膨らみが潰れやすい。これに対して、伸縮性不織布２１５，２２５は溶着部２５ａ，２５ｂの間において厚みが増すため、肌側シート２１３，２２３及び非肌側シート２１４，２２４の膨らみが潰れ難く、肌触りの柔らかさや美観性を保つことができる。
【００５３】
また、溶着部２５ａ，２５ｂが点在する領域のうち、吸収性本体１０と厚さ方向に重なる第１点在領域Ｘと、それ以外の第２点在領域Ｙとで、溶着部２５ａ，２５ｂの形状や、単位面積当たりの溶着部２５ａ，２５ｂの割合を異ならせても良い。なお、図２において、第１点在領域Ｘでは、左右方向に対して４５度又は−４５度傾いた略長方形状の溶着部２５ａが交互に配置されている。一方、第２点在領域Ｙでは、円形状の溶着部２５ｂが千鳥状に配置されている。
【００５４】
また、第１点在領域Ｘに比べて第２点在領域Ｙの方が、単位面積当たりの溶着部２５ｂの面積が小さくなっている。そのため、汗やムレ等の問題を生じやすい胴回り領域２１１，２２１において、溶着部２５ｂにより通気性が阻害されてしまうことを抑制でき、適切な通気性を確保できる。一方、吸収性本体１０と重複する第１点在領域Ｘでは、前側ベルト部２１及び後側ベルト部２２の収縮が適度に抑えられ、吸収性本体１０の左右方向の収縮を軽減できる。
【００５５】
また、前側ベルト部２１、及び、後側ベルト部２２では、胴回り開口１ａに沿う領域に、糸ゴム等の胴回り弾性部材２６が複数配されている。同様に、脚回り開口１ｂに沿う領域に、糸ゴム等の脚回り弾性部材２７が複数配されている。つまり、おむつ１の胴回り及び脚回りは、胴回り弾性部材２６及び脚回り弾性部材２７によって、着用者の身体にしっかりと密着するため、おむつ１のずれ落ちや脚回りからの漏れを防止できる。一方、その他の部位は、伸縮性不織布２１５，２２５により面全体で緩やかに着用者の身体にフィットするため、締め付け感が軽減される。
【００５６】
股下部材２３は、長手方向の中央部分において左右方向の内側へ湾曲した平面視略砂時計形状を成している。また、図３に示すように、股下部材２３は、肌側に位置する肌側シート２３１と、非肌側に位置する非肌側シート２３２と、それらの間に位置し、おむつ１の上下方向（吸収性本体１０の長手方向）に伸縮性を付与する伸縮性不織布２３３とを有している。これらのシート２３１〜２３３は複数の溶着部（例えば第２点在領域Ｙと同様の溶着部２５ｂ）により接合されている。股下部材２３において、上下方向に沿った伸縮性が発現している領域を股下伸縮領域２３ｓとする（図５の斜線部参照）。
【００５７】
この股下伸縮領域２３ｓが設けられることにより、吸収性コア１１は着用者の股下部に密着でき、また、排泄により吸収性コア１１の重量が増しても、おむつ１の垂れ下がりを抑制できる。また、股下部材２３のうち脚回り開口１ｂに沿う領域に、複数の股下弾性部材２８が配されており、股下部材２３が着用者の脚回りに密着するようになっている。
【００５８】
＜＜吸収性コア１１の変形について＞＞
おむつ１を着用する際に、着用者の身体形状に合わせて吸収性コア１１（吸収性本体１０）が変形する様子について説明する。
【００５９】
図５は、展開且つ伸長状態のおむつ１の概略平面図であり、前側ベルト部２１の前側伸縮領域２１ｓ、及び、股下部材２３の股下伸縮領域２３ｓと、吸収性コア１１との位置関係を説明する図である。図６は、吸収性コア１１を肌側から見た平面図である。
【００６０】
図５に示されるように、吸収性コア１１は、着用時に着用者の下腹部に位置する「下腹部位１１Ａ」と、着用者の股下部に位置する「股下部位１１Ｂ」と、着用者の臀部に位置する「臀部位１１Ｃ」とを有する。図５では、前側ベルト部２１と重複する部位を下腹部位１１Ａとし、後側ベルト部２２と重複する部位を臀部位１１Ｃとし、その間を股下部位１１Ｂとしている。すなわち、下腹部位１１Ａはおむつ１の前側部１０Ｆに位置する部位であり、臀部位１１Ｃはおむつ１の後側部１０Ｒに位置する部位である。そして、股下部位１１Ｂは、パンツ型形状のおむつ１の上下方向の下端部に位置し、所定位置ＣＬを跨いで前側部１０Ｆと後側部１０Ｒとに亘って設けられる部位である。
【００６１】
但し、図５に示す「股下部位１１Ｂ」の範囲は一例であり、これに限らない。例えば、長手方向において、前側ベルト部２１の端部接合領域２４の下端から後側ベルト部２２の端部接合領域２４の下端までの領域を１／３にしたときの中央領域を股下部位としても良い。
【００６２】
吸収性コア１１は、股下部位１１Ｂに、周囲に比べて吸収性コア１１の坪量が低くなった領域である「股下低坪量領域３６」を有している。股下低坪量領域３６は、上下方向（吸収性コアの長手方向）に沿った縦長部３６ｌと、左右方向（吸収性コアの幅方向）に沿った横長部３６ｗとが交差することによって形成されている。なお、縦長部３６ｌは、股下部位１１Ｂにおいて左右方向に間隔を空けて複数設けられており、各々の縦長部３６ｌには、上下方向に間隔を空けて複数の横長部３６ｗが設けられている。
【００６３】
ここで、吸収性コア１１の「坪量」とは、単位面積当たりの吸収性コア１１（例えばＳＡＰが混入した液体吸収性繊維）の質量（ｇ／ｍ２）である。股下低坪量領域３６と周囲との吸収性コア１１の坪量の比較は、周知の方法で行うと良い。例えば、目視で比較する方法がある。その他、対象部位を吸収性コア１１からサンプルとして切り出し、各サンプルの質量、及び、各サンプルの面積を測定し、単位面積当たりの質量を算出して比較する方法がある。以下に説明するその他の低坪量領域に関しても、同様である。
【００６４】
吸収性コア１１は、股下低坪量領域３６と周囲との剛性差により、股下低坪量領域３６を起点として折れ曲がりやすい。したがって、おむつ１の着用時において、吸収性コア１１はこの股下低坪量領域３６を起点として折れ曲がることによって着用者の身体の凹凸に合わせて容易に変形し、着用者の身体にフィットしやすくなる。特に、股下部位１１Ｂは、おむつ１の着用時において着用者の両脚に挟み込まれることにより左右方向の圧縮力を受けやすい部位である。本実施形態では、股下部位１１Ｂにおいて上下方向に沿って延びる縦長部３６ｌと、左右方向に沿って延びる横長部３６ｗとを互いに交差させるように設けることにより、吸収性コア１１を柔軟に変形させることができる。
【００６５】
また、図６に示されるように、吸収性コア１１は、股下低坪量領域３６よりも上下方向の上側、かつ、前後方向の後側（後側部１０Ｒ）に、周囲に比べて吸収性コア１１の坪量が低くなった領域である「第２股下低坪量領域３７」を有している。第２股下低坪量領域３７は、股下低坪量領域３６と略同様の構成を有しており、上下方向（吸収性コアの長手方向）に沿った縦長部３７ｌと、左右方向（吸収性コアの幅方向）に沿った複数の横長部３７ｗとが交差することによって形成されている。なお、第２股下低坪量領域３７は、股下部位１１Ｂと臀部位１１Ｃとを跨いで配置されている。また、上述した股下低坪量領域３６と第２股下低坪量領域３７とを区別するために、以下では、股下低坪量領域３６を「第１股下低坪量領域３６」と呼ぶ場合がある。
【００６６】
また、吸収性コア１１は、第１股下低坪量領域３６よりも上下方向の上側、かつ、前後方向の前側（前側部１０Ｆ）であって、第２股下低坪量領域３７の縦長部３７ｌの左右方向の間に、周囲に比べて吸収性コア１１の坪量が低くなった領域である「中央低坪量領域３２」を有している。中央低坪量領域３２は、吸収性コア１１の左右方向の中央部において、上下方向（吸収性コア１１の長手方向）に沿って配置され、周囲に比べて坪量が低く、左右方向よりも上下方向に長い略長方形状の領域である。同様に、第１股下低坪量領域３６よりも上下方向の上側、かつ、前後方向の後側（後側部１０Ｒ）の、左右方向の中央部には、中央低坪量領域３２と対応する「中央低坪量領域３３」が設けられている。本実施形態では、中央低坪量領域３２，３３において吸収性コア１１が存在しないものとする。すなわち、中央低坪量領域３２，３３は吸収性コア１１を厚さ方向に貫通した孔である。
【００６７】
次に、おむつ１着用時における吸収性コア１１の変形について具体的に説明する。図７は、おむつ１着用時における吸収性コア１１の変形について説明する概略斜視図である。
【００６８】
おむつ１において、中央低坪量領域３２，３３では、吸収性コア１１が厚さ方向に貫通し、剛性が最も低くなっている。したがって、吸収性コア１１は、中央低坪量領域３２，３３において最も折れ曲がり変形を生じやすい。そのため、おむつ１の着用時に、吸収性コア１１が着用者の股間部で両脚に挟み込まれると、該吸収性コア１１が中央低坪量領域３２，３３の部分で上下方向（吸収性コア１１の長手方向）に沿って左右に折れ曲がる。これにより、長手方向における中央低坪量領域３２，３３の間の股下部位１１Ｂにおいて、図７のように、吸収性コア１１が長手方向に沿って着用者の肌側に凸形状に変形し、凸部１１ｔが形成される。つまり、中央低坪量領域３２，３３は、吸収性コア１１を股下部位１１Ｂにおいて長手方向に沿って折り曲げる「折り誘導領域」としての機能を有する。吸収性コア１１が股下部位１１Ｂにおいて肌側に凸変形することにより、凸部１１ｔが着用者の排泄口や臀部の割れ目に沿ってフィットしやすく、股下部において排泄物の吸収性を向上させることができる。
【００６９】
そして、前側部１０Ｆでは、股下部位１１Ｂから下腹部位１１Ａにかけて、吸収性コア１１が着用者の腹部の曲面形状に沿って立ち上がる。一方、後側部１０Ｒでは、股下部位１１Ｂから臀部位１１Ｃにかけて、吸収性コア１１が着用者の臀部の曲面形状に沿って立ち上がる。これにより、おむつ１の着用時において、吸収性コア１１は図７のような形状に変形する。
【００７０】
しかしながら、従来のおむつには、本実施形態の股下伸縮領域２３ｓに相当する部位が設けられていなかったため、吸収性コアが柔軟に変形可能であるとしても、股下部におけるフィット性に問題が生じる場合があった。図８は、比較例として、股下伸縮領域２３ｓが設けられていない場合における、吸収性コア１１の股下部位１１Ｂにおける変形状態を表す概略断面図である。図９は、股下伸縮領域２３ｓが設けられている場合における、吸収性コア１１の股下部位１１Ｂにおける変形状態を表す概略断面図である。図８及び図９では、おむつ着用者の股下部における吸収性コア１１の変形の様子について、着用者の正面から見た場合の吸収性コア１１の断面形状として表している。
【００７１】
図８の比較例では、着用者の股下部（股下部位１１Ｂ）において吸収性コア１１が着用者の両脚に挟まれて左右方向に圧縮されることにより、吸収性コアの左右方向の中央部が長手方向（上下方向）に沿って折れ曲がり、肌側に突出した凸部１１ｔが形成されている。しかしながら、左右方向に圧縮されることによって、中央部の凸部１１ｔが着用者の非肌側に浮き上がってしまい、吸収性コア１１と着用者の肌との間に隙間が生じている。特に、吸収性本体１０の左右方向の両側には防漏壁弾性部材４１による長手方向に沿った伸縮性が作用しているため、左右方向の両側部は着用者の脚の付け根（鼠蹊部）に固定された状態となっている。この状態で吸収性コア１１が左右方向に圧縮されると、左右方向の両端部と比較して変形しやすい中央部（凸部１１ｔ）が着用者の非肌側に押し出されるように浮き上がり、吸収性コア１１と着用者の肌との間に隙間が生じやすくなる。これにより、吸収性コア１１のフィット性が悪化したり、吸収されなかった排泄物が漏れてしまったりするおそれがある。
【００７２】
これに対して、本実施形態のおむつ１では、股下部位１１Ｂにおいて、吸収性コア１１（吸収性本体１０）の非肌側に設けられた股下伸縮領域２３ｓが吸収性コア１１の長手方向（上下方向）に沿って収縮することにより、図９のように吸収性コア１１が着用者の肌側に押し付けられる。その際、股下低坪量領域３６の横長部３６ｗが吸収性コア１１の左右方向に沿った折れ曲がり変形の起点となり、吸収性コア１１は、着用者の股下形状にあわせて長手方向（上下方向）に曲がりながら、着用者の股間部に押し付けられる。また、左右方向に沿った折れ曲がり起点となる横長部３６ｗが長手方向（上下方向）に間隔を空けて複数設けられていることにより、吸収性コア１１が着用者の肌側に折れ曲がりやすくなり、上述した凸部１１ｔの形成が助長される。これにより、吸収性コア１１は、左右方向の中央部の凸部１１ｔを維持しつつ、着用者の股下部にしっかりとフィットするようになる。したがって、吸収性コア１１と着用者の肌（股間）との間に隙間が生じ難くなり、排泄物が漏れてしまうことを抑制しやすくなる。
【００７３】
また、吸収性コア１１の股下部位１１Ｂには、複数の縦長部３６ｌが左右方向に所定の間隔を空けて配置されているが（図６参照）、隣り合う２つの縦長部３６ｌ，３６１の間には、上下方向（吸収性コア１１の長手方向）に沿った「股下高坪量領域５１」が設けられている。股下高坪量領域５１は、股下低坪量領域３６よりも坪量が高い領域であり、図６の破線で示されるように、上下方向（長手方向）における長さが左右方向（幅方向）における長さよりも長い、略矩形状をしている。
【００７４】
坪量の低い縦長部３６ｌ，３６１の左右方向の間に、股下高坪量領域５１が設けられていることにより、吸収性コア１１は、長手方向に沿って左右に折れ曲がり変形を生じやすくなっている。すなわち、坪量が低く、折れ曲がり起点となりやすい縦長部３６ｌの左右方向の両側に、坪量が高く剛性が高い股下高坪量領域５１が設けられていることにより、左右方向において左右方向に隣り合う股下高坪量領域５１，５１の間で縦長部３６ｌが関節のように機能する。これにより、吸収性コア１１において、股下高坪量領域５１，５１の間の縦長部３６ｌの部分で折れ曲がり変形を生じやくなると共に、縦長部３６ｌ以外の部分で折れ曲がり変形が生じることが抑制され、吸収性コア１１の変形をある程度制御することができるようになる。そして、このような股下高坪量領域５１が複数設けられていることにより、吸収性コア１１は、着用者の身体形状に応じて適切に変形することができる。
【００７５】
また、吸収性本体１０の後側部１０Ｒにおいて、股下低坪量領域３６，第２股下低坪量領域３７及び中央低坪量領域３３よりも上下方向の上側（長手方向の後側）には、これらの低坪量領域よりも坪量が高い「臀部高坪量領域５５」が設けられている。この臀部高坪量領域５５は、左右方向に連続した領域であり、臀部高坪量領域５５と第２股下低坪量領域３７（及び中央低坪量領域３３）との境界部は、左右方向の中央から両外側に向けて斜め下方向に傾斜している。したがって、部高坪量領域５５は、図６の点線で示されるような略Ｕ字型（若しくはＶ字型）の形状を有している。
【００７６】
おむつ１の着用時において、股下部位１１Ｂでは、上述したように吸収性コア１１が着用者の肌側に凸となる山型に変形し、上下方向（吸収性コア１１の長手方向）に沿って凸部１１ｔが連続して形成される。一方、後側部１０Ｒでは、図７に示されるように、吸収性コア１１が股下部位１１Ｂから臀部位１１Ｃへと立ち上がるように変形する。つまり、吸収性コア１１は、股下部位１１Ｂと臀部位１１Ｃとで異なる変形を行う。
【００７７】
そこで、本実施形態では、中央低坪量領域３３や第２股下低坪量領域３７の長手方向の後側に臀部高坪量領域５５を設けることにより、その境界部分において吸収性コア１１がスムーズに変形しやすくなるようにしている。具体的には、股下部位１１Ｂにおいて吸収性コア１１を肌側に凸変形させる力が、股下部位１１Ｂから臀部位１１Ｃ側へと伝達されるのを、臀部高坪量領域５５によって遮断する。これにより、臀部位１１Ｃにおいて吸収性コア１１の左右方向中央部が着用者の肌側に凸変形することを抑制することができる。特に、貫通孔である中央低坪量領域３３は、最も剛性が低く折れ曲がりやすい折り誘導領域として機能していることから、該中央低坪量領域３３よりも上下方向の上側（長手方向の後側）に臀部高坪量領域５５を設けることにより、吸収性コア１１を凸変形させる力が臀部側に伝達するのを抑制しやすくなる。
【００７８】
そして、股下部位１１Ｂにおいて吸収性コア１１を左右方向に圧縮するように作用していた力を、臀部高坪量領域５５と低坪量領域（３３，３７）との境界部に集約させ、当該境界部において、吸収性コア１１を折れ曲がりやすくする。その結果、吸収性コア１１のうち臀部高坪量領域５５よりも長手方向の後側の領域は、股下部位１１Ｂのように凸型に変形することなく、臀部高坪量領域５５と低坪量領域（３３，３７）との境界部を折れ曲がり起点として着用者の臀部側に立ち上がる。したがって、吸収性コア１１が着用者の身体形状に応じて自然に変形しやすくなる。
【００７９】
このとき、臀部高坪量領域５５と低坪量領域（３３，３７）との境界部が左右方向の中央から両外側、かつ、長手方向の後側から前側に傾斜しているため、吸収性コア１１のうち臀部高坪量領域５５よりも長手方向の後側の領域は、該境界部の傾斜に沿って斜めに立ち上がり、着用者の臀部を包み込むように変形する。これにより、着用者の臀部における吸収性コア１１のフィット性を向上させることができる。
【００８０】
また、後側部１０Ｒにおいて、臀部高坪量領域５５は、股下伸縮領域２３ｓよりも上下方向の上側（長手方向の後側）に位置している（図５参照）。したがって、股下伸縮領域２３ｓによって吸収性コア１１に作用している上下方向に沿った伸縮力の影響が、臀部高坪量領域５５によって遮断され、臀部高坪量領域５５よりも長手方向の後側の領域には、股下伸縮領域２３ｓによる伸縮力が作用し難くなる。これにより、臀部側における吸収性コア１１の自然な変形が阻害され難くなり、着用者の臀部における吸収性コア１１のフィット性をより向上させることができる。
【００８１】
また、図６に示されるように、吸収性コア１１の後側部１０Ｒにおいて、臀部高坪量領域５５よりも上下方向の上側（長手方向の後側）には、周囲に比べて吸収性コア１１の坪量が低くなった領域である「臀部低坪量領域３８」が設けられている。臀部低坪量領域３８は第２股下低坪量領域３７と略同様の構成を有し、縦長部３８ｌ及び横長部３８ｗを有している。この臀部低坪量領域３８によって、臀部位１１Ｃにおいて吸収性コア１１が自在に変形しやすくなる。図７で説明したように本実施形態の吸収性コア１１は、臀部高坪量領域５５を挟んで上側の領域（臀部側）と下側（股下側）の領域とで全く異なる変形を行うため、それぞれの領域に低坪量領域が設けられていることにより、吸収性コア１１をより自然に変形させやすくすることができる。
【００８２】
また、臀部低坪量領域３８の左右方向における幅Ｗ３８（すなわち、最も左側に位置する縦長部３８ｌの左側端と、最も右側に位置する縦長部３８ｌの右側端との間の距離）は、第２股下低坪量領域３７の左右方向における幅Ｗ３７（すなわち、最も左側に位置する縦長部３７ｌの左側端と、最も右側に位置する縦長部３７ｌの右側端との間の距離）よりも広い（Ｗ３８＞Ｗ３７）。吸収性コア１１の後側部１０Ｒにおいて、臀部低坪量領域３８が設けられている領域は着用者の臀部を広く覆う部分であることから、左右方向のなるべく広い範囲に亘って折れ曲がり起点となる低坪量領域を設けることで、臀部の丸みに沿って吸収性コア１１の広い範囲を変形させやすくすることができる。
【００８３】
同様に、第２股下低坪量領域３７の左右方向における幅Ｗ３７は、第１股下低坪量領域３６の左右方向における幅Ｗ３６（すなわち、最も左側に位置する縦長部３６ｌの左側端と、最も右側に位置する縦長部３６ｌの右側端との間の距離）よりも広い（Ｗ３７＞Ｗ３６）。この場合も、吸収性コア１１のうち、第１股下低坪量領域３６よりも臀部に近い第２股下低坪量領域３７において、左右方向のなるべく広い範囲に亘って折れ曲がり起点となる低坪量領域を設けることで、臀部の丸みに沿って吸収性コア１１の広い範囲を変形させやすくすることができる。
【００８４】
また、図６に示されるように、吸収性コア１１の前側部１０Ｆにおいて、股下低坪量領域３６よりも上下方向の上側（長手方向の前側）には周囲に比べて吸収性コア１１の坪量が低くなった領域である「傾斜低坪量領域３１」が設けられている。傾斜低坪量領域３１は、吸収性コア１１の前側において、左右一対ずつ設けられており、左右方向の両側から中心側に向かって斜め下方向に傾斜している。すなわち、上下方向の上側から下側、かつ、左右方向の外側から中心側に向かって傾斜した領域である。おむつ１を着用する際には、この傾斜低坪量領域３１が着用者の恥骨周辺から股間にかけて斜めに当接する。したがって、傾斜低坪量領域３１は、吸収性コア１１の前側部１０Ｆにおいて、着用者の脚の付け根に沿った形状の折れ曲がり起点となる。そのため、着用者が歩行したり脚を前後に動かしたりした場合であっても、着用者の腹側において吸収性コア１１が脚の動きに追従して３次元的に折れ曲がり、身体の動きに合わせて自在に変形しやすくなる。
【００８５】
なお、吸収性コア１１の後側部１０Ｒには、傾斜低坪量領域３１のように斜めに傾斜した低坪量領域は設けられていない。臀部側（後側部１０Ｒ）においては、着用者の脚が後側に大きく振り上げられるような動作は行われず、吸収性コア１１は、上述したように、臀部の丸みに沿って広い範囲を覆うように変形することができれば良いためである。
【００８６】
また、図５に示されるように、吸収性コア１１の左右方向における長さ（幅）Ｗ１１ｃの最小値（すなわち、くびれ部１１ｃにおける幅）よりも、股下伸縮領域２３ｓの左右方向における長さＷ２３ｓの方が狭くなっている（Ｗ１１ｃ＞Ｗ２３ｓ）。このような構成により、吸収性コア１１の左右方向の両端部では、股下伸縮領域２３ｓによる伸縮性が作用し難くなる。そして、股下部位１１Ｂにおいて、吸収性コア１１の左右方向の両端部には、股下低坪量領域３６が設けられておらず、周囲よりも坪量が高い「股下サイド高坪量領域５２」が形成されている（図６参照）。この股下サイド高坪量領域５２では吸収性コア１１の剛性が高いため、当該領域において吸収性コア１１の変形は生じ難くなる。
【００８７】
おむつ１を着用する際には、股下部位１１Ｂにおいて、吸収性コア１１が肌側に凸変形するが（図７参照）、このとき、左右方向の両端部の股下サイド高坪量領域５２が変形し難いことにより、吸収性コア１１が山型の凸形状を維持しやすくなる。すなわち、左右方向の中央部に形成される凸部１１ｔの両側に、変形し難い股下サイド高坪量領域５２が設けられていることにより、該凸部１１ｔが左右方向の両側から支えられるようになり、凸部１１ｔの形状が崩れ難くなる。これにより、吸収性コア１１のフィット性をより向上させることができる。
【００８８】
また、股下サイド高坪量領域５２の左右方向における長さ（幅）Ｗ５２の最小値は、股下高坪量領域５１の左右方向における長さ（幅）Ｗ５１よりも広くなっている（Ｗ５２＞Ｗ５１）。上述したように、股下高坪量領域５１は、縦長部３６ｌを挟み込むことによって吸収性コア１１を折り曲げやすくする機能を有している。したがって、Ｗ５１が広すぎると、変吸収性コア１１が折れ曲がり難くなるおそれがある。一方、股下両サイド高坪量領域５２は、吸収性コア１１が折れ曲がり変形する際に、凸形状の両裾を支える機能を有する領域であることから、ある程度の幅を有していることが望ましい。そこで、おむつ１では、Ｗ５２＞Ｗ５１となるように各高坪量領域５１，５２を設けることにより、左右方向の両端領域では吸収性コア１１の強度を確保しやすく、中央領域では吸収性コア１１が変形しやすくなるようにしている。
【００８９】
また、おむつ１は、前側ベルト部２１及び後側ベルト部２２との間に吸収性本体１０がかけ渡された構造であることから、おむつ１を着用した状態では、前後のベルト部２１，２２によって着用者の腰回りをしっかりとホールドしたうえで、吸収性本体１０を上側に引き上げることができる。したがって、吸収性コア１１がずり落ち難く、股下伸縮領域２３ｓの作用により、着用者の股間にしっかりと密着しやすくなっている。
【００９０】
さらに、股下伸縮領域２３ｓは、前側ベルト部２１の前側伸縮領域２１ｓと重複する部分を有している。同様に、股下伸縮領域２３ｓは、後側ベルト部２２の後側伸縮領域２２ｓと重複する部分を有している。これにより、股下伸縮領域２３ｓの伸縮力が、前側伸縮領域２１ｓ及び後側伸縮領域２２ｓの伸縮力とそれぞれ連動し、前側部１０Ｆ及び後側部１０Ｒにおいて、股下伸縮領域２３ｓが上端側に収縮しやすくなる。したがって、吸収性コア１１が着用者の股下側に引き上げられやすくなり、吸収性コア１１（吸収性本体１０）のフィット性をより向上させることができる。
【００９１】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００９２】
１  パンツ型使い捨ておむつ（おむつ、パンツ型吸収性物品）、
１ａ  胴回り開口、１ｂ  脚回り開口、
１０  吸収性本体、１０Ｆ  前側部、１０Ｒ  後側部、
１１  吸収性コア、１１Ａ  下腹部位、１１Ｂ  股下部位、１１Ｃ  臀部位、
１１ｃ  くびれ部、１１ｔ  凸部、
１２  トップシート、１３  バックシート、１４  サイドシート、
２０  外装部材、
２１  前側ベルト部（腹側外装部材）、２１ｓ  前側伸縮領域、
２１１  胴回り領域、２１２  股下側領域、２１３  肌側シート、２１４  非肌側シート、２１５  伸縮性不織布、
２２  後側ベルト部（背側外装部材）、２２ｓ  後側伸縮領域、
２２１  胴回り領域、２２２  股下側領域、２２３  肌側シート、２２４  非肌側シート、２２５  伸縮性不織布、
２３  股下部材（股下外装部材）、２３ｓ  股下伸縮領域、
２３１  肌側シート、２３２  非肌側シート、２３３  伸縮性不織布、
２４  端部接合領域、
２５ａ，２５ｂ  溶着部、
２６  胴回り弾性部材、２７  脚回り弾性部材、２８  股下弾性部材、
３１  傾斜低坪量領域、
３２  中央低坪量領域、３３  中央低坪量領域、
３６  股下低坪量領域（第１股下低低坪量領域）、３６ｌ  縦長部、３６ｗ  横長部、
３７  第２股下低坪量領域、３７ｌ  縦長部、３７ｗ  横長部、
３８  臀部低坪量領域、３８ｌ  縦長部、３８ｗ  横長部、
４０  防漏壁部、
４１  防漏壁弾性部材、４２  防漏壁弾性部材、
５１  股下高坪量領域、５２  股下サイド高坪量領域、
５５  臀部高坪量領域、
ＣＬ  所定位置
【図１】
2019118554.tif 000003
【図２】
2019118554.tif 000004
【図３】
2019118554.tif 000005
【図４】
2019118554.tif 000006
【図５】
2019118554.tif 000007
【図６】
2019118554.tif 000008
【図７】
2019118554.tif 000009
【図８】
2019118554.tif 000010
【図９】
2019118554.tif 000011